(57)【要約】【課題】異物除去時に送風により飛散した異物が、再び撮像面またはローパスフィルタに付着することを防ぐ。【解決手段】カメラは、被写体を撮像して画像を取得する撮像素子と、撮像素子の前段に設けられたシャッタと、撮像素子の表面に配置された保護部材に付着した異物を除去するために、吹き付けられた風の速度を検出する風速検出手段と、風速検出手段により検出された風速に応じて、シャッタの開閉を制御するシャッタ駆動制御手段とを備える。【選択図】図１
2009031563.tif 000002
【特許請求の範囲】
【請求項１】
被写体を撮像して画像を取得する撮像素子と、
前記撮像素子の前段に設けられたシャッタと、
前記撮像素子の表面に配置された保護部材に付着した異物を除去するために、吹き付けられた風の速度を検出する風速検出手段と、
前記風速検出手段により検出された風速に応じて、前記シャッタの開閉を制御するシャッタ駆動制御手段とを備えることを特徴とするカメラ。
【請求項２】
被写体を撮像して画像を取得する撮像素子と、
前記撮像素子の前段に設けられたシャッタと、
前記撮像素子の表面に配置された保護部材に付着した異物を除去するための風力の発生に連動して、前記シャッタの開閉を制御するシャッタ駆動制御手段とを備えることを特徴とするカメラ。
【請求項３】
請求項１に記載のカメラにおいて、
前記シャッタ駆動制御手段は、前記検出された風速が所定の閾値以下になると前記シャッタを閉鎖することを特徴とするカメラ。
【請求項４】
請求項３に記載のカメラにおいて、
前記シャッタ駆動制御手段は、前記シャッタを閉鎖してから所定時間経過した後、前記シャッタを開放することを特徴とするカメラ。
【請求項５】
請求項２に記載のカメラにおいて、
前記シャッタ駆動制御手段は、前記風力の発生に連動して前記シャッタを閉鎖し、前記シャッタを閉鎖してから所定時間経過した後、前記シャッタを開放することを特徴とするカメラ。
【発明の詳細な説明】
【技術分野】
【０００１】
本発明は、撮像素子の表面に配置された保護部材に付着する異物を除去できるカメラに関する。
【背景技術】
【０００２】
従来から、撮像素子の撮像面もしくはローパスフィルタに付着した異物除去が可能なアクセサリを装着可能にしたカメラが知られている（たとえば特許文献１）。
【特許文献１】特開２００５−２９５１５２号公報
【発明の開示】
【発明が解決しようとする課題】
【０００３】
しかしながら、異物除去時に送風により飛散した異物が、再び撮像面またはローパスフィルタに付着して状況が悪化する場合がある。
【課題を解決するための手段】
【０００４】
請求項１の発明によるカメラは、被写体を撮像して画像を取得する撮像素子と、撮像素子の前段に設けられたシャッタと、撮像素子の表面に配置された保護部材に付着した異物を除去するために、吹き付けられた風の速度を検出する風速検出手段と、風速検出手段により検出された風速に応じて、シャッタの開閉を制御するシャッタ駆動制御手段とを備えることを特徴とする。
請求項２の発明によるカメラは、被写体を撮像して画像を取得する撮像素子と、撮像素子の前段に設けられたシャッタと、撮像素子の表面に配置された保護部材に付着した異物を除去するための風力の発生に連動して、シャッタの開閉を制御するシャッタ駆動制御手段とを備えることを特徴とする。
請求項３の発明は、請求項１に記載のカメラにおいて、シャッタ駆動制御手段は、検出された風速が所定の閾値以下になるとシャッタを閉鎖することを特徴とする。
請求項４の発明は、請求項３に記載のカメラにおいて、シャッタ駆動制御手段は、シャッタを閉鎖してから所定時間経過した後、シャッタを開放することを特徴とする。
請求項５の発明は、請求項２に記載のカメラにおいて、シャッタ駆動制御手段は、風力の発生に連動してシャッタを閉鎖し、シャッタを閉鎖してから所定時間経過した後、シャッタを開放することを特徴とする。
【発明の効果】
【０００５】
本発明によれば、風速検出手段で検出された風速に応じてシャッタの開閉を制御するので、異物除去時に飛散した異物が保護部材に付着することを防ぐことができる。
【発明を実施するための最良の形態】
【０００６】
−第１の実施の形態−
図１〜図３を参照して、本発明による一実施の形態におけるカメラを説明する。図１は電子カメラ１００の要部構成を示す図である。電子カメラ１００のボディ１０に、撮影レンズＬ１と絞り２０１とを備える交換レンズ２００が着脱可能に装着されている。カメラ１００のボディ側には、クイックリターンミラー１０１、焦点板１０２、ペンタプリズム１０３、接眼レンズ１０５、シャッタ１０６、撮像素子１０７、焦点検出用センサ１０８、および風速センサ１０９が設けられている。
【０００７】
図２は電子カメラ１００の制御系のブロック図である。図２において、図１に示した構成要素には同一の符号を付して説明する。電子カメラ１００の制御系は、シャッタ駆動機構１０６Ａ、撮像素子１０７、焦点検出用センサ１０８、風速センサ１０９、制御回路１１１、ＬＣＤ駆動回路１１９、表示器１２０、操作部１２１、メモリカードインタフェース１２２、およびメモリカード１２３を備えている。
【０００８】
図１を参照して説明すると、交換レンズ２００を通過して電子カメラ１００に入射した被写体光は、シャッタレリーズ前は図１において実線で示すように位置するクイックリターンミラー１０１で上方へ導かれて焦点板１０２に結像する。被写体光はさらにペンタプリズム１０３へ入射される。ペンタプリズム１０３は、入射された被写体光を接眼レンズ１０５へ導く。被写体光の一部はクイックリターンミラー１０１の半透過領域を透過し、サブミラー１０１ａにて下方に反射され、焦点検出用センサ１０８へ入射される。
【０００９】
レリーズ後はクイックリターンミラー１０１が図１の破線で示される位置（ミラーアップ位置）へ回動し、被写体光がシャッタ１０６を介して撮像素子１０７へ導かれ、その撮像面上に被写体像が結像する。撮像素子１０７は、受光した被写体光をその強度に応じた画像信号に変換するＣＣＤやＣＭＯＳなどの光電変換素子である。撮像素子１０７の表面には、被写体光の内、空間周波数の高い光を除去するローパスフィルタ１０７Ａが設けられている。撮像素子１０７の直前にはシャッタ１０６が設けられている。シャッタ１０６は、シャッタ駆動機構１０６Ａ（図２）により駆動されて、制御回路１１１の指令に応じて開放、閉鎖する。
【００１０】
シャッタ１０６の前段には、風速センサ１０９が設けられている。風速センサ１０９は、たとえば自動平衡ブリッジ回路に接続された２つの抵抗体を検出部として備え、検出部が通電により所定温度（たとえば１５０℃）に発熱する熱線式のセンサである。この風速センサ１０９の検出部に風が触れると発熱している抵抗体から熱が奪われ冷却されるので、検出部が所定温度の１５０℃となるように、ブリッジ回路の帰還作用により抵抗体に加わる電力が増加する。検出部は、このときに増加した電力を風速信号として検出する。風速センサ１０９は、後述するクリーニングモードにおいて、撮像素子１０７近傍の風速を上記のようにして検出し、検出した風速信号を制御回路１１１へ出力する。
【００１１】
図２を参照して制御系について詳細に説明する。
撮像素子１０７は、制御回路１１１が出力するタイミング信号に応じて、画像信号を出力する。制御回路１１１は、図示しないＣＰＵ、ＲＯＭおよびＲＡＭ等を備え、電子カメラ１００の各構成要素を制御したり、各種のデータ処理を実行する演算回路である。制御回路１１１は、撮像素子１０７の出力する画像信号にアナログ的な処理を施してからデジタルの画像データに変換して、ホワイトバランス処理、ガンマ補正処理、色補間処理、輪郭強調、ビネット補正などの画像処理を実行する。そして、制御回路１１１は、画像処理の施された画像データに対してＪＰＥＧ圧縮処理を実行する。
【００１２】
メモリカードインタフェース１２２は、メモリカード１２３が着脱可能なインタフェースであり、制御回路１１１の制御に基づいて、図示しないバッファメモリに一時的に格納された画像データをメモリカード１２３に書き込んだり、メモリカード１２３に記録されている画像データを読み出す。メモリカード１２３はコンパクトフラッシュ（登録商標）やＳＤカードなどの半導体メモリカードである。
【００１３】
ＬＣＤ駆動回路１１９は、制御回路１１１の命令に基づいて表示器１２０を駆動する回路である。表示器１２０はたとえば液晶表示パネルであり、再生モードにおいて、図示しない内蔵メモリもしくはメモリカード１２３に記録されている画像データに基づいて制御回路１１１で作成された表示データの表示を行う。
【００１４】
操作部１２１は、ユーザの操作を受け付けるスイッチである。操作部１２１には、電源スイッチ、レリーズスイッチ、その他の設定メニューの表示切換スイッチ、設定メニュー決定ボタンなどが含まれる。また、操作部１２１の操作により、クリーニングモードの設定および解除が可能である。第１の実施の形態におけるクリーニングモードにおいては、交換レンズ２００を取り外した状態で、ボディ１０前面の開口部からユーザがブロアー等で風を吹き付けることによりローパスフィルタ１０７Ａの表面に付着した塵、埃等の異物を除去することができる。クリーニングモードが設定されると、制御回路１１１は、クイックリターンミラー１０１をミラーアップ位置へ回動させる。この状態でユーザがブロアー等を用いて風を吹きつけると、制御回路１１１がシャッタ１０６の開放および閉鎖を制御する。この結果、ローパスフィルタ１０７Ａの表面に付着した塵、埃等の異物を除去することができる。
【００１５】
次に、クリーニングモードにおける電子カメラ１００の動作について説明する。操作部１２１からクリーニングモードの設定を指示する信号を入力すると、制御回路１１１は、異物除去の準備動作として、図示しないシーケンス回路を駆動して、クイックリターンミラー１０１をミラーアップ位置まで回動させ、シャッタ駆動機構１０６Ａに指令してシャッタ１０６を開放させる。さらに制御回路１１１は、風速センサ１０９に所定の電力を印加して、風速センサ１０９の検出部を１５０℃に発熱させる。
【００１６】
この状態でユーザがブロアー等により撮像素子１０７の表面に風を吹きつけて、異物除去を開始すると、風速センサ１０９は、上述のようにして検出した風速信号を制御回路１１１へ出力する。
【００１７】
シャッタ１０６の開放後、制御回路１１１は、風速センサ１０６から入力する風速信号を監視し、風速が所定の閾値以下になったことを検出すると、シャッタ駆動機構１０６Ａに指令してシャッタ１０６を閉鎖させる。これにより、風の吹き付けによって電子カメラ１００の内部の各所から飛散した異物が、シャッタ１０６と撮像素子１０７との間に入り込み、最終的にローパスフィルタ１０７Ａの表面に付着するという事態を防止できる。
【００１８】
シャッタ１０６を閉鎖してから所定時間として、たとえば５秒間が経過すると、制御回路１１１は、クリーニングモードが設定されたままであるか否かを判定する。クリーニングモードが設定されたままの場合は、制御回路１１１はシャッタ駆動機構１０６Ａに指令してシャッタ１０６を開放する。なお、所定時間は、電子カメラ１００の内部の風速が、上記の所定の閾値となる風速から、ローパスフィルタ１０７Ａの表面から異物を除去可能で、かつ電子カメラ１００の撮像素子１０７以外の他の部位の異物を飛散させない程度の風速にまで低下する時間を見込んで設定される。この時間は、予め実験等により決定しておけばよい。したがって、所定時間経過後にシャッタ１０６が開放されると、ローパスフィルタ１０７Ａの表面の異物が除去され、かつ他の部位の異物が飛散してローパスフィルタ１０７Ａへ付着することを防ぐことができる。
【００１９】
図３に示すフローチャートを参照しながら、クリーニングモードにおける電子カメラ１００の処理について説明する。図３の処理は制御回路１１１でプログラムを実行して行なわれる。このプログラムは、メモリ（不図示）に格納されており、操作部１２１からクリーニングモードの設定を指示する信号が入力されると起動される。
ステップＳ１０１においては、図示しないシーケンス回路を駆動させて、クイックリターンミラー１０１をミラーアップ位置まで回動させてステップＳ１０２へ進む。ステップＳ１０２においては、風速センサ１０９に所定の電力を印加してステップＳ１０３へ進む。
【００２０】
ステップＳ１０３においては、シャッタ駆動機構１０６Ａに対してシャッタ１０６を開放させてステップＳ１０４へ進む。ステップＳ１０４においては、ブロアー等を用いてユーザが異物除去を行ったか否かを判定する。ユーザにより風が吹き付けられて、風速センサ１０９から風速信号を入力した場合は、ステップＳ１０４が肯定判定されてステップＳ１０５へ進む。風速センサ１０９から風速信号を入力しない場合は、ステップＳ１０４が否定判定されて当該判定処理を繰り返す。
【００２１】
ステップＳ１０５においては、風速センサ１０９から入力した風速信号に基づいて、撮像素子１０７近傍の風速が所定の閾値以下であるか否かを判定する。風速が所定の閾値以下の場合はステップＳ１０５が肯定判定されてステップＳ１０６へ進む。風速が所定の閾値を上回る場合は、ステップＳ１０５が否定判定されて当該判定処理を繰り返す。
【００２２】
ステップＳ１０６においては、シャッタ駆動機構１０６Ａに対してシャッタ１０６を閉鎖させてステップＳ１０７へ進む。このとき、図示しないタイマを起動して時間計測を開始する。ステップＳ１０７においては、ステップＳ１０６で起動したタイマによる計測時間が、所定時間の５秒以上経過したか否かを判定する。計測時間が５秒以上経過した場合は、ステップＳ１０７が肯定判定されてステップＳ１０８へ進む。計測時間が５秒未満の場合は、ステップＳ１０７が否定判定されて当該判定処理を繰り返す。
【００２３】
ステップＳ１０８においては、クリーニングモードが終了されたか否かを判定する。操作部１２１からクリーニングモードの終了を指示する信号を入力した場合には、ステップＳ１０８が肯定判定されてステップＳ１０９へ進む。ステップＳ１０９においては、不図示のシーケンス回路に対してクイックリターンミラー１０１を図１の実線で示す位置に回動させるとともに、風速センサ１０９への電力印加を終了して一連の処理を終了する。操作部１２１からクリーニングモードの終了を指示する信号を入力しない場合は、ステップＳ１０９が否定判定されてステップＳ１０３へ戻る。
【００２４】
以上で説明した第１の実施の形態の電子カメラ１００によれば、以下の作用効果が得られる。
（１）クリーニングモードにおいて、制御回路１１１は、風速センサ１０９から入力した風速信号に応じて、シャッタ１０６の開閉を制御するようにした。その結果、シャッタ１０６の開放時には、ブロアー等により発生した風力により、ローパスフィルタ１０７Ａの表面に付着した異物が除去され、シャッタ１０６が閉鎖することにより飛散した異物が再びローパスフィルタ１０７Ａに付着することを防ぐので、ローパスフィルタ１０７Ａの表面の異物除去を確実に行うことができる。
【００２５】
（２）シャッタ１０６の開放後、制御回路１１１は、風速センサ１０６から入力する風速信号に基づいて、風速が所定の閾値以下になったことを検出すると、シャッタ１０６を閉鎖する。したがって、風の吹き付けによって電子カメラ１００の内部の各所から飛散した異物が、シャッタ１０６と撮像素子１０７との間に入り込み、最終的にローパスフィルタ１０７Ａの表面に付着するという事態を防止できるので、ローパスフィルタ１０７Ａの表面に異物が再付着して風を吹きつける前よりも状態が悪化することを防ぐことができる。
【００２６】
（３）シャッタ１０６を閉鎖してから所定時間である５秒間が経過すると、制御回路１１１は、シャッタ１０６を開放する。所定時間が経過した後、電子カメラ１００の内部の風速は、ローパスフィルタ１０７Ａの表面から異物を除去可能で、かつ電子カメラ１００の撮像素子１０７以外の他の部位の異物を飛散させない程度の風速にまで低下している。したがって、ローパスフィルタ１０７Ａの表面の異物が除去され、他の部位から飛散した異物がローパスフィルタ１０７Ａへ付着することを防ぐことができる。
【００２７】
第１の実施の形態における電子カメラを次のように変形できる。
クリーニングモードの設定に応じて、制御回路１１１がシャッタ１０６を開放するものに代えて、風速センサ１０９から風速信号を入力するとシャッタ駆動機構１０６Ａに指令してシャッタ１０６を開放させてもよい。
【００２８】
−第２の実施の形態−
図４〜図６を参照して、本発明による電子カメラの第２の実施の形態を説明する。以下の説明では、第１の実施の形態と同じ構成要素には同じ符号を付して相違点を主に説明する。特に説明しない点については、第１の実施の形態と同じである。本実施の形態では、電子カメラ１００は風力発生装置を備えるが、風速センサを備えない点で、第１の実施の形態と異なる。
【００２９】
図４の要部構成図および図５の制御系のブロック図に示すように、電子カメラ１００は、シャッタ１０６の前段において、シャッタ１０６の開放時にはローパスフィルタ１０７Ａの表面に異物除去に必要な風を吹きつけることが可能な位置に風力発生装置１１０を備える。風力発生装置１１０は、ノズル１１０ａ、バルブ１１０ｂ、およびタンク１１０ｃを備え、ローパスフィルタ１０７Ａの表面に送風するための風力を発生させる。電子カメラ１００の筐体には空気孔１１２が設けられ、たとえばエアチューブなどによりタンク１１０ｃと接続されている。
【００３０】
空気孔１１２にエアー供給源４００のノズルを挿入し、エアー供給源４００を操作して空気を噴射すると、エアチューブを介して噴射された空気がタンク１１０ｃに充填される。エアー供給源４００としては、たとえば高圧エアーが充填された缶スプレーを用いることができる。なお、エアー供給源４００に空気以外の気体を充填したものでもよい。ノズル１１０ａは、タンク１１０ｃに充填された空気の放出口であり、撮像素子１０７の近傍に配置される。バルブ１１０ｂは、風力発生装置１１０により開閉が制御される。通常、バルブ１１０ｂは閉鎖されているが、風力発生装置１１０が制御回路１１１の指令を受け付けたときのみ所定時間だけ開放される。その結果、タンク１１０ｃに充填された空気がノズル１１０ａから放出されて、撮像素子１０７の近傍に風が送風される。
【００３１】
操作部１２１は、クリーニングモードの設定および解除を指示する信号を制御回路１１１へ出力するとともに、異物除去の開始を指示する信号を制御回路１１１へ出力する。第２の実施の形態におけるクリーニングモードでは、交換レンズ２００をボディ１０に装着した状態であっても、ローパスフィルタ１０７Ａの異物除去が可能である。
【００３２】
クリーニングモードにおける電子カメラ１００の動作について説明する。操作部１２１からクリーニングモードの設定を指示する信号を入力すると、制御回路１１１は、異物除去の準備動作として、図示しないシーケンス回路を駆動して、クイックリターンミラー１０１をミラーアップ位置まで回動させる。さらに、制御回路１１１は、シャッタ駆動機構１０６Ａに指令してシャッタ１０６を開放させる。そして、操作部１２１から異物除去の開始を指示する信号を入力すると、制御回路１１１は、風力発生装置１１０に対して、所定風力の風の発生を指示して所定風力の風を発生させ、所定時間経過後に、シャッタ駆動機構１０６Ａに指令してシャッタ１０６を閉鎖させる。すなわち、制御回路１１１は、風力発生装置１１０による風力の発生に連動させてシャッタ１０６を閉鎖する。なお、この場合における所定時間は、所定風力の風により除去された異物が再びローパスフィルタ１０７Ａに付着するよりも短い時間（たとえば数十ｍｓ程度）であり、あらかじめ実験などにより計測されているものとする。
【００３３】
風力発生装置１１０から風を発生させてから、所定時間として、たとえば５秒が経過すると、制御回路１１１は、シャッタ駆動機構１０６Ａに指令してシャッタ１０６を開放させる。なお、所定時間は、第１の実施の形態の場合と同様に、電子カメラ１００の内部の風力が、上記のようにして発生した風力から、ローパスフィルタ１０７Ａの表面から異物を除去可能で、かつ電子カメラ１００の撮像素子１０７以外の他の部位の異物を飛散させない程度の風力にまで低下する時間を見込んで設定される。この時間は、予め実験等により決定しておけばよい。したがって、５秒経過後にシャッタ１０６が開放されると、ローパスフィルタ１０７Ａの表面の異物が除去され、かつ他の部位の異物が飛散してローパスフィルタ１０７Ａへ付着することを防ぐことができる。
【００３４】
制御回路１１１は、操作部１２１から異物除去の開始を指示する信号を入力すると、上述のようにして、風力発生装置１１０に対して所定風力の風を発生させるとともに、シャッタ駆動機構１０６Ａに指令してシャッタ１０６の開閉を制御させて、ローパスフィルタ１０７Ａの表面の異物除去を継続する。
【００３５】
図６に示すフローチャートを参照しながら、クリーニングモードにおける電子カメラ１００の処理について説明する。図６の処理は制御回路１１１でプログラムを実行して行なわれる。このプログラムは、メモリ（不図示）に格納されており、操作部１２１からクリーニングモードの設定を指示する信号が入力されると起動される。
【００３６】
ステップＳ２０１においては、クイックリターンミラー１０１をミラーアップ位置まで回動させてステップＳ２０２へ進む。ステップＳ２０２においては、シャッタ駆動機構１０６Ａに指令して、シャッタ１０６を開放させてステップＳ２０３へ進む。ステップＳ２０３においては、ローパスフィルタ１０７Ａの表面に付着した異物の除去を開始するか否かを判定する。操作部１２１から異物除去の開始を指示する信号を入力した場合は、ステップＳ２０３が肯定判定されてステップＳ２０４へ進む。異物除去の開始を指示する信号を入力しない場合は、ステップＳ２０３が否定判定されて当該判定処理を繰り返す。
【００３７】
ステップＳ２０４においては、風力発生装置１１０に対して風力の発生を指示する信号を出力し、所定風力の風を発生させてステップＳ２０５へ進む。このとき、図示しないタイマを起動して、時間計測を開始する。ステップＳ２０５においては、ステップＳ２０４で起動したタイマによる計測時間が、所定時間以上経過したか否かを判定する。計測時間が所定時間以上経過した場合は、ステップＳ２０５が肯定判定されてステップＳ２０６へ進む。所定時間未満の場合は、ステップＳ２０５が否定判定されて当該判定処理を繰り返す。ステップＳ２０６においては、シャッタ駆動機構１０６Ａに指令してシャッタ１０６を閉鎖させてステップＳ２０７へ進む。
【００３８】
ステップＳ２０７においては、ステップＳ２０４で起動したタイマによる計測時間が、所定時間の５秒以上経過したか否かを判定する。計測時間が５秒以上経過した場合は、ステップＳ２０７が肯定判定されてステップＳ２０８へ進む。計測時間が５秒未満の場合は、ステップＳ２０７が否定判定されて当該判定処理を繰り返す。ステップＳ２０８においては、シャッタ駆動機構１０６Ａに対してシャッタ１０６を開放させてステップＳ２０９へ進む。
【００３９】
ステップＳ２０９においては、クリーニングモードが終了されたか否かを判定する。操作部１２１からクリーニングモードの終了を指示する信号を入力した場合には、ステップＳ２０９が肯定判定されてステップＳ２１０へ進む。ステップＳ２１０においては、シャッタ駆動機構１０６Ａに対してシャッタ１０６を閉鎖させるとともに、不図示のシーケンス回路に対してクイックリターンミラー１０１を図１の実線で示す位置に回動させて一連の処理を終了する。操作部１２１からクリーニングモードの終了を指示する信号を入力しない場合は、ステップＳ２０９が否定判定されてステップＳ２１１へ進む。
【００４０】
ステップＳ２１１においては、ステップＳ２０３と同様に、操作部１２１から異物除去の開始を指示する信号を入力したか否かを判定する。異物除去の開始を指示する信号を入力した場合は、ステップＳ２１１が肯定判定されてステップＳ２０３へ戻る。異物除去の開始を指示する信号を入力しない場合は、ステップＳ２１１が否定判定されてステップＳ２０９へ戻る。
【００４１】
以上で説明した第２の実施の形態の電子カメラ１００によれば、以下の作用効果が得られる。
（１）クリーニングモードにおいて、制御回路１１１は、風力発生装置１１０に対する風の発生を指示してから所定時間経過してからシャッタ１０６を閉鎖するようにした。したがって、風により異物が舞っている間は電子カメラ１００の他の部位から飛散した異物がローパスフィルタ１０７Ａの表面に付着しないので、ローパスフィルタ１０７Ａの異物除去に際して、かえってローパスフィルタ１０７Ａの表面に異物が付着するという事態を防ぐことができる。
【００４２】
（２）風力発生装置１１０により風を発生させてから、所定時間である５秒が経過すると、制御回路１１１は、シャッタ１０６を開放するようにした。すなわち、電子カメラ１００の内部の風力が、ローパスフィルタ１０７Ａの表面から異物を除去可能で、かつ電子カメラ１００の撮像素子１０７以外の他の部位の異物を飛散させない程度の風力にまで低下してからシャッタ１０６が開放される。したがって、所定時間経過後にシャッタ１０６が開放されると、ローパスフィルタ１０７Ａの表面の異物が除去され、かつ他の部位の異物が飛散してローパスフィルタ１０７Ａへ付着することを防ぐことができる。
【００４３】
第２の実施の形態による電子カメラ１００を、以下のように変形できる。
（１）電子カメラ１００の内部に風力発生装置１１０を備えるものに代えて、風力発生装置３１０を備えるアクセサリ３００を装着して、クリーニングモードにおいてローパスフィルタ１０７Ａの異物を除去するようにしてもよい。図７に、この場合の電子カメラ１００とアクセサリ３００のブロック図を示す。アクセサリ３００は、風力発生装置３１０、アクセサリ制御回路３２０および交換可能なエアーカートリッジ３３０を備え、電子カメラ１００に設けられた図示しないレンズマウントに装着される。
【００４４】
風力発生装置３１０は、第２の実施の形態で説明した風力発生装置１１０と同様に、ノズル３１０ａ、バルブ３１０ｂ、およびタンク３１０ｃを備え、アクセサリ制御回路３２０の指令に応じて、エアーカートリッジ３３０から供給される空気を用いて風力を発生する。クリーニングモードにおいて、アクセサリ制御回路３２０は、レンズマウントに設けられた電気接点を介して電子カメラ１００の制御回路１１１からの異物除去の開始を指示する信号を入力すると、風力発生装置３１０へ風力の発生を指示する。以後、制御回路１１１は、第２の実施の形態と同様にしてシャッタ１０６の開閉を制御する。
【００４５】
（２）撮像素子１０７の近傍に粘着シートを配置してもよい。この結果、風の吹きつけにより飛散した異物が粘着シートに貼りつくので、次回以降のクリーニングモード時に再び異物が飛散することを防げる。
【００４６】
また、本発明の特徴を損なわない限り、本発明は上記実施の形態に限定されるものではなく、本発明の技術的思想の範囲内で考えられるその他の形態についても、本発明の範囲内に含まれる。
【図面の簡単な説明】
【００４７】
【図１】本発明の第１の実施の形態による電子カメラの要部構成を説明する図である。
【図２】第１の実施の形態の電子カメラの制御系を説明するブロック図である。
【図３】第１の実施の形態の電子カメラにおけるクリーニングモードの動作を説明するフローチャートである。
【図４】第２の実施の形態の電子カメラの要部構成を説明する図である。
【図５】第２の実施の形態の電子カメラの制御系と説明するブロック図である。
【図６】第２の実施の形態の電子カメラにおけるクリーニングモードの動作を説明するフローチャートである。
【図７】第２の実施の形態の変形例における電子カメラの制御系を説明するブロック図である。
【符号の説明】
【００４８】
１０６・・・シャッタ  １０７・・・撮像素子  １０７Ａ・・・ローパスフィルタ
１０９・・・風速センサ  １１０・・・風力発生装置  １１１・・・制御回路
【図１】
2009031563.tif 000003
【図２】
2009031563.tif 000004
【図３】
2009031563.tif 000005
【図４】
2009031563.tif 000006
【図５】
2009031563.tif 000007
【図６】
2009031563.tif 000008
【図７】
2009031563.tif 000009